(57)【要約】【課題】薬歴簿を効率的に記録することができるようにする。【解決手段】ＣＰＵ１０は、薬歴簿記録処理において、手書き入力装置１１１に手書きの薬歴簿イメージデータが入力されると、個人特定イメージデータ１６２の特定用イメージ１６２ｂと比較して調剤師を特定し、認証する。調剤師が認証されると、薬歴簿イメージデータを薬歴簿データメモリ１２１に記憶させ、認証された調剤師に対応する捺印イメージとサインイメージを個人認証データメモリ１６１から読み出して薬歴簿イメージデータと対応付けて薬歴簿データメモリ１２１に記録させる。次いで、薬歴簿データメモリ１２１のイメージデータ１２１ｂから薬歴簿イメージデータを文字認識して文字データに変換すると、この薬歴簿データのデータファイルを伝送制御部１３から調剤薬局サーバ３０に伝送させる。【選択図】　　　　　図２
2004102773.tif 000002
【特許請求の範囲】
【請求項１】
ユーザの認証データを入力する認証入力手段と、
患者に手渡された薬に関しての薬歴簿データを入力する薬歴簿入力手段と、
前記認証入力手段により入力された認証データを用いてユーザを認証する認証手段と、
前記認証手段により認証されたユーザの個人データを取得する取得手段と、
前記薬歴簿入力手段により入力された薬歴簿データと、前記取得手段により取得された個人データとを対応付けて記録する記録手段と、
を備えることを特徴とする薬局データ記録装置。
【請求項２】
前記記録手段により記録された薬歴簿データと個人データとを出力する出力手段を備えることを特徴とする請求項１に記載の薬局データ記録装置。
【請求項３】
前記出力手段は、前記薬歴簿データと個人データとを、患者が有するお薬手帳に印刷出力することを特徴とする請求項２に記載の薬局データ記録装置。
【請求項４】
前記認証入力手段は、複数の認証データを入力し、
前記認証手段は、前記認証入力手段により入力された複数の認証データのうち、１つ以上の認証データを用いてユーザを認証することを特徴とする請求項１〜３の何れか一項に記載の薬局データ記録装置。
【請求項５】
前記記録手段は、前記薬歴簿データを入力時の元データとして記録することを特徴とする請求項１〜４の何れか一項に記載の薬局データ記録装置。
【請求項６】
前記記録手段は、前記元データを文字データに変換して記録することを特徴とする請求項５に記載の薬局データ記録装置。
【請求項７】
前記認証データ及び前記薬歴簿データは、ユーザによる手書きのイメージデータであることを特徴とする請求項１〜６の何れか一項に記載の薬局データ記録装置。
【請求項８】
前記認証データ及び前記薬歴簿データは、ユーザの音声データであることを特徴とする請求項１〜６の何れか一項に記載の薬局データ記録装置。
【請求項９】
前記認証手段は、前記薬歴簿入力手段により入力された薬歴簿データを用いてユーザを認証し、
前記記録手段は、前記認証手段によりユーザが認証されると、ユーザ認証に用いられた薬歴簿データを、前記個人データと対応付けて記録することを特徴とする請求項１〜８の何れか一項に記載の薬局データ記録装置。
【請求項１０】
コンピュータに、
ユーザの認証データを入力させる認証入力機能と、
患者に手渡された薬に関しての薬歴簿データを入力させる薬歴簿入力機能と、前記認証入力機能により入力された認証データを用いてユーザを認証させる認証機能と、
前記認証機能により認証されたユーザの個人データを取得させる取得機能と、前記薬歴簿入力機能により入力された薬歴簿データと、前記取得機能により取得された個人データとを対応付けて記録させる記録機能と、
を実現させるためのプログラム。
【請求項１１】
前記記録機能により記録された薬歴簿データと個人データとを出力させる出力機能を含むことを特徴とする請求項１０に記載のプログラム。
【請求項１２】
前記出力機能は、前記薬歴簿データと個人データとを、患者が有するお薬手帳に印刷出力させることを特徴とする請求項１１に記載のプログラム。
【請求項１３】
前記認証入力機能は、複数の認証データを入力させ、
前記認証機能は、前記認証入力機能により入力された複数の認証データのうち、１つ以上の認証データを用いてユーザを認証させることを特徴とする請求項１０〜１２の何れか一項に記載のプログラム。
【請求項１４】
前記記録機能は、前記薬歴簿データを入力時の元データとして記録させることを特徴とする請求項又は１０〜１３の何れか一項に記載のプログラム。
【請求項１５】
前記記録機能は、前記元データを文字データに変換して記録させることを特徴とする請求項１４に記載のプログラム。
【請求項１６】
前記認証データ及び前記薬歴簿データは、ユーザによる手書きのイメージデータであることを特徴とする請求項１０〜１５の何れか一項に記載のプログラム。
【請求項１７】
前記認証データ及び前記薬歴簿データは、ユーザの音声データであることを特徴とする請求項１０〜１５の何れか一項に記載のプログラム。
【請求項１８】
前記認証機能は、前記薬歴簿入力機能により入力された薬歴簿データを用いてユーザを認証させ、
前記記録機能は、前記認証機能によりユーザが認証されると、ユーザ認証に用いられた薬歴簿データを、前記個人データと対応付けて記録させることを特徴とする請求項１０〜１７の何れか一項に記載のプログラム。
【発明の詳細な説明】
【０００１】
【発明の属する技術分野】
本発明は、薬局データ記録装置及びプログラムに関する。
【０００２】
【従来の技術】
近年、病院等の診療機関で受診した患者が、診療機関で発行された処方箋を調剤薬局に持参し、調剤薬局の調剤師がその処方箋に基づいて薬を調剤して患者に手渡す医薬分業が推進されている。これに対して従来、処方箋をデータ化し、その処方箋データを病院外の指定された薬局に伝送し、薬局側でその処方箋データに基づいて調剤作業を行うシステムが提案されおり（例えば、特許文献１参照）、その調剤作業の際に、調剤師が、調剤した日付や調剤内容、患者への服薬指導内容、他の調剤師への申し送り等を患者毎に用意された薬歴簿（薬局のカルテ）に書き込み、記録することが行われている。
【０００３】
しかし、調剤業務中は多忙であるため、薬を患者に手渡す際には薬歴簿に記録する服薬指導内容等を一旦手書きでメモに書き込み、そのメモ内容を調剤業務終了後等の手の空いた時間に薬歴簿に転記することが多い。
【０００４】
【特許文献１】
特開平６−２３１１５１号公報（第２−３頁、第１図）
【０００５】
【発明が解決しようとする課題】
しかしながら、そのような薬歴簿の記録方法では、患者が多くなるにつれてメモの取り扱いが煩雑であるとともにメモを紛失する可能性がある。また、処方箋データから多数の情報を調剤師が確認せねばならず、さらにその確認した内容に基づいてメモ内容を薬歴簿に転記するので、煩雑な作業が重なり、転記時に誤記も生じやすかった。
【０００６】
本発明の課題は、薬歴簿を効率的に記録することができるようにすることである。
【０００７】
【課題を解決するための手段】
請求項１に記載の発明は、ユーザの認証データを入力する認証入力手段と、患者に手渡された薬に関しての薬歴簿データを入力する薬歴簿入力手段と、前記認証入力手段により入力された認証データを用いてユーザを認証する認証手段と、前記認証手段により認証されたユーザの個人データを取得する取得手段と、前記薬歴簿入力手段により入力された薬歴簿データと、前記取得手段により取得された個人データとを対応付けて記録する記録手段と、を備えることを特徴としている。
【０００８】
この請求項１に記載の発明によれば、入力された認証データによりユーザを認証し、認証されたユーザの個人データを取得して、入力された薬歴簿データと取得された個人データとを対応付けて記録するので、薬歴簿データを正確にかつ容易に記録することができ、薬歴簿を効率的に記録することができる。また、個人データが薬歴簿データに対応付けて記録されるので、ユーザを容易に判別することができるとともに薬歴簿データの改竄を防止することができる。
【０００９】
【発明の実施の形態】
以下、図を参照して本発明の実施の形態を詳細に説明する。
まず、構成を説明する。
図１は、本実施の形態における薬局システム１００の全体構成を示す概念図である。図１において、薬局システム１００は、調剤薬局サーバ３０と、薬局データ記録装置１ａ、１ｂと、患者端末５０ａ、５０ｂと、がネットワークＮを介して相互にデータの送受信が可能に接続されている。
【００１０】
ネットワークＮは、本実施の形態ではインターネットであるが、これに限定されるものではなく、例えばＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）を含めてもよく、電話回線、ＩＳＤＮ回線網、広域帯通信回線網、専用線、移動体通信網、通信衛星回線、ＣＡＴＶ回線、光通信回線、無線通信回線と、それを接続するインターネットサービスプロバイダ等を含む構成でもよい。
【００１１】
調剤薬局サーバ３０は、薬歴簿データベースを有し、この薬歴簿データベースに、薬局データ記録装置１ａ、１ｂからネットワークＮを介して伝送された薬歴簿データファイルを患者毎に格納して管理する。調剤薬局サーバ３０は、薬歴簿データベースに格納された薬歴簿データファイルの読み出しを制御し、患者端末５０ａ、５０ｂから患者名及びパスワードを送信されて薬歴簿データの要求を受けると、パスワードにより患者を認証し、認証された患者に対応する薬歴簿データのデータファイルを要求元の患者端末５０ａ、５０ｂに送信する。
【００１２】
患者端末５０ａ、５０ｂは、患者が所有するパーソナルコンピュータや携帯電話、ＰＤＡ（Ｐｅｒｓｏｎａｌ　Ｄｉｇｉｔａｌ　Ａｓｓｉｓｔａｎｔ）等の通信機能を備えた情報処理端末であり、患者から薬歴簿データを取得する指示を受けると、後述するデータ取得処理（図１４参照）を実行する。
【００１３】
患者端末５０ａ、５０ｂは、データ取得処理において、調剤薬局サーバ３０にアクセスし、薬歴簿データを所望する患者名及びパスワードを入力させて、指定された患者名に対応する薬歴簿データを調剤薬局サーバ３０に要求する。次いで、所望の薬歴簿データを音声データで取得することをユーザから指示されると、調剤薬局サーバ３０からその音声データを受信し、出力手段により受信した音声データを再生出力する。
【００１４】
薬局データ記録装置１ａ、１ｂは、調剤薬局に設置され、調剤薬局において作成される薬歴簿データ等の薬局に関するデータを記録する。なお、この調剤薬局においては、医療機関で発行された処方箋を持参した患者に対し、調剤師が処方箋に基づく調剤を行い、その服薬に関する指導を行う。
【００１５】
図２を参照して、薬局データ記録装置１ａの内部構成を詳細に説明する。なお、薬局データ記録装置１ｂの内部構成は薬局データ記録装置１ａと同一であるのでその詳細な説明は省略する。
【００１６】
図２において、薬局データ記録装置１ａは、ＣＰＵ１０、入力装置１１、手書き入力装置１１１、音声入力装置１１２、ＲＡＭ１２、伝送制御部１３、表示装置１４、印刷装置１５、記憶装置１６、計時部１７から構成され、各部はバス１８により接続される。
【００１７】
ＣＰＵ１０は、記憶装置１６に格納されているシステムプログラム及び各種アプリケーションプログラムの中から指定されたプログラムを、ＲＡＭ１２に展開し、当該プログラムに従って薬局データ記録装置１ａの各部を集中制御する。具体的には、ＣＰＵ１０は、記憶装置１６から個人データ設定処理プログラム、薬歴簿記録処理プログラム、薬歴簿印刷処理プログラムを読み出して、後述する個人データ設定処理（図８参照）、薬歴簿記録処理（図９〜１１参照）、薬歴簿印刷処理（図１２参照）を実行する。
【００１８】
ＣＰＵ１０は、個人データ設定処理において、手書き入力装置１１１から調剤師名（ユーザ名）を入力されると、個人認証データメモリ１６１を参照してその調剤師名に対応する個人データが既に登録されているか否かを判別し、登録されていない場合は個人データの設定画面を表示装置１４に表示させて、設定指示を受けると手書き入力装置１１１から調剤師の捺印イメージデータ、サインイメージデータを、音声入力装置１１２から調剤師の音声データを入力させて、設定終了指示を受けると、入力された各個人データを個人認証データメモリ１６１に登録する。
【００１９】
ＣＰＵ１０は、薬歴簿記録処理において、手書き入力装置１１１に手書きの薬歴簿イメージデータが入力されると、新規入力であれば現在の時間情報を計時部１７から取得し、手書き入力装置１１１からその薬歴簿イメージデータを取り込んで時間情報とともにＲＡＭ１２に一時記憶して、調剤師特定処理に移行する。
【００２０】
調剤師特定処理において、ＣＰＵ１０は、ＲＡＭ１２に一時記憶した薬歴簿イメージデータに対し薬歴簿イメージデータを入力した調剤師を未特定の場合、個人特定イメージデータ１６２から最初に登録されている調剤師の特定用イメージ１６２ｂを読み出してＲＡＭ１２に一時記憶した薬歴簿イメージデータと照合比較し、その一致比率を算出する。次いで、一致比率が５０％以上であるか否かを判別し、５０％以上の場合は個人別一致比率データメモリ１２２の該当する調剤師の一致比率１２２ｂに、算出した一致比率の値を更新設定する。次いで、個人特定イメージデータメモリ１６２に登録されている全調剤師に対して一致比率の算出処理を行ったか否かを判別し、全調剤師に対し一致比率を算出していない場合は個人特定イメージデータメモリ１６２に登録されている次の調剤師の特定用イメージ１６２ｂを読み出して一致比率を算出する。
【００２１】
このようにして全調剤師に対して一致比率の算出処理を行うと、ＣＰＵ１０は、個人別一致比率データメモリ１２２を参照して一番高い一致比率を読み出し、読み出した一致比率は９０％以下であるか否かを判別する。９０％以下である場合は、調剤師を特定できず認証できなかったとしてエラーガイダンスを行い、調剤師のサインイメージを手書き入力装置１１１から入力させて、入力されたサインイメージと、個人特定イメージデータメモリ１６２のサインイメージ１６２ｃとを照合比較して調剤師を特定し、認証する。一方、一致比率が９０％を超えている場合、その一番一致比率の高い調剤師を、薬歴簿イメージデータを入力した調剤師として特定して認証し、ＲＡＭ１２に一時記憶した薬歴簿イメージデータを薬歴簿データメモリ１２１に記録させてＲＡＭ１２の一時記憶を消去する。
【００２２】
次いで、特定された調剤師に対応する捺印イメージとサインイメージを個人認証データメモリ１６１から読み出して取得すると、薬歴簿データメモリ１２１に薬歴簿イメージデータと対応付けて記録させて、個人別一致比率データメモリ１２２の一致比率１２２ｂに設定した値を消去する。次いで、薬歴簿データメモリ１２１のイメージデータ１２１ｂから薬歴簿イメージデータを文字認識して文字データに変換すると、薬歴簿イメージデータに対応する患者名及び調剤薬局サーバ３０にアクセスするためのパスワードを入力装置１１から入力させて、薬歴簿イメージデータを文字データに変換した薬歴簿データファイルとともに伝送制御部１３から調剤薬局サーバ３０に伝送させる。
【００２３】
すなわち、ＣＰＵ１０は、取得手段としての機能を有する。
【００２４】
ＣＰＵ１０は、薬歴簿印刷処理において、計時部１７から現在の時間情報を取得し、薬歴簿データメモリ１２１から現在時刻に近い薬歴簿データファイルを読み出して選択可能に表示した選択画面１４１（図１３参照）を表示装置１４に表示し、この選択画面１４１において、印刷対象の薬歴簿データファイルを選択されて印刷指示を受けると、印刷装置１５にお薬手帳をセットさせて、印刷指示された服薬指導内容の薬歴簿データを文字認識して文字データに変換し、印刷装置１５にセットされたお薬手帳に印刷する。
【００２５】
入力装置１１は、カーソルキー、数字入力キー及び各種機能キーを備えたキーボードを含み、このキーボードで押下されたキーに対応する押下信号をＣＰＵ１０に出力する。なお、入力装置１１は、必要に応じてマウス、タッチパネル等のポインティングディバイスやその他の入力装置を備えることとしてもよい。
【００２６】
ＲＡＭ１２は、ＣＰＵ１０によって実行される各種プログラムやこれら各種プログラムによって処理されたデータ等を一時的に記憶するワークエリアを形成する。また、ＲＡＭ１２は、薬歴簿データのデータファイルを格納する薬歴簿データメモリ１２１、調剤師毎に一致比率の値を格納する個人別一致比率データメモリ１２２を有している。
【００２７】
ここで、図３、図４を参照してＲＡＭ１２に格納される各メモリ１２１、１２２について説明する。
図３は、薬歴簿データメモリ１２１のデータ構成例を示す図である。薬歴簿データメモリ１２１は、薬歴簿データを記録した日付と時間を記録するヘッダデータ１２１ａと、薬歴簿に記録する調剤内容、服薬指導内容、他の調剤師への申し送り等の薬歴簿イメージデータ、調剤師のサインイメージ及び捺印イメージの個人データを含むイメージデータ１２１ｂと、からなるデータファイルを格納する。具体的に説明すると、図３に示すように、最初の薬歴簿データファイルは、「０２／０７／３１　ＡＭ１１：３０」の時間に薬歴簿イメージデータが記録され、調剤師により手書き入力された「×××は強いお薬です。眠気に注意して下さいと説明した」の薬歴簿イメージデータと対応付けて、調剤師である「田中」のサインイメージ、捺印イメージの個人データが記録されている。すなわち、薬歴簿データメモリ１２１は、記録手段としての機能を有する。
【００２８】
図４は、個人別一致比率データメモリ１２２のデータ構成例を示す図である。個人別一致比率データメモリ１２２は、調剤師名１２２ａと、その調剤師に対して算出された一致比率１２２ｂとを記憶する。
【００２９】
伝送制御部１３は、ネットワークＮ上の外部機器と通信を行うためのネットワークインターフェイスカード、モデム又はターミナルアダプタ等により構成される。
【００３０】
手書き入力装置１１１は、図５（ａ）に示すように各種機能キーを有する操作部１１１ａと、ＬＣＤ（Ｌｉｑｕｉｄ　Ｃｒｙｓｔａｌ　Ｄｉｓｐｌａｙ）等からなる表示ディスプレイ１１１ｂと、表示ディスプレイ１１１ｂの表面に、タッチペン１１１ｃによる入力操作が可能なタッチパネルとを有する入力装置である。手書き入力装置１１１は、薬局データ記録装置１ａに有線接続され、ＣＰＵ１０からの指示に応じて、タッチペン１１１ｃを用いて調剤師により手書き入力されたイメージデータをＣＰＵ１０に送信する。
【００３１】
音声入力装置１１２は、図５（ｂ）に示すように音声を入力するマイク１１２ａを有する。また、音声入力装置１１２は、薬局データ記録装置１ａに有線接続され、ＣＰＵ１０からの指示に応じて、マイク１１２ａから入力された調剤師の音声を音声データに変換してＣＰＵ１０に送信する。
【００３２】
すなわち、手書き入力装置１１１及び音声入力装置１１２は、認証入力手段、薬歴簿入力手段としての機能を有する。
【００３３】
表示装置１４は、ＣＲＴ（Ｃａｔｈｏｄｅ　Ｒａｙ　Ｔｕｂｅ）やＬＣＤ等による表示ディスプレイを備え、ＣＰＵ１０からの表示指示に基づいて各種表示データを表示する。
【００３４】
印刷装置１５は、ドットインパクト方式、熱転写方式、レーザ方式、インクジェット方式等の各種印刷方式により紙等の印刷記録媒体に印刷を行う。すなわち、印刷装置１５は、出力手段としての機能を有する。
【００３５】
記憶装置１６は、プログラムやデータが予め記憶されている記録媒体（図示せず）を有しており、この記録媒体は磁気的、光学的記録媒体若しくは半導体メモリで構成されている。この記録媒体は記憶装置１６に固定的に設けられるもの若しくは着脱自在に装着するものである。この記録媒体には、システムプログラム及び当該システムに対応する各種アプリケーションプログラム及び各種処理プログラムで処理されたデータ等を記憶する。
【００３６】
また、記録媒体に記憶するプログラム、データ等は、その一部若しくは全部をサーバやクライアント等の他の機器からＷＡＮ、ＬＡＮ等のネットワーク回線の伝送媒体を介して伝送制御部１３から受信して記憶する構成にしてもよく、さらに、記録媒体はネットワーク上に構築された外部機器の記録媒体であってもよい。さらに、前記プログラムをネットワーク回線等の伝送媒体を介してサーバやクライアントへ伝送してこれらの機器にインストールするように構成してもよい。
【００３７】
また、記憶装置１６は、各調剤師の各種個人データを記憶する個人認証データメモリ１６１、各調剤師を特定して認証するための特定用イメージデータを記憶する個人特定イメージデータメモリ１６２を格納する。
【００３８】
図６は、個人認証データメモリ１６１のデータ構成例を示す図である。図６に示すように、個人認証データメモリ１６１は、調剤師の氏名をローマ字表記した調剤師１６１ａと、調剤師の捺印のイメージデータである捺印イメージ１６１ｂと、調剤師の手書きサインのイメージデータであるサインイメージ１６１ｃと、調剤師の氏名の音声等の調剤師を特定可能な音声データ１６１ｄと、を記憶する。
【００３９】
図７は、個人特定イメージデータメモリ１６２のデータ構成例を示す図である。図７に示すように、個人特定イメージデータメモリ１６２は、調剤師の氏名である調剤師名１６２ａと、調剤師が手書きしたひらがな５０音のイメージデータである特定用イメージ１６２ｂと、調剤師の手書きサインのイメージデータであるサインイメージ１６２ｃと、を記憶する。なお、これらの調剤師特定イメージデータは、予め調剤師により手書き入力装置１１１から入力されて個人特定イメージデータメモリ１６２に格納され、登録されているものとする。すなわち、個人特定イメージデータメモリ１６２は、認証手段としての機能を有する。
【００４０】
計時部１７は、年月日時分秒を計時して時間情報としてＣＰＵ１０に出力する。
【００４１】
次に、本実施の形態の動作を説明する。
後述する各フローチャートに記述されている各機能を実現するためのプログラムはコンピュータが読み取り可能なプログラムコードの形態で薬局データ記録装置１ａの記憶装置１６に格納されており、薬局データ記録装置１ａのＣＰＵ１０は、当該プログラムコードに従った動作を逐次実行する。また、ＣＰＵ１０は、伝送媒体を介して伝送される上記プグラムコードに従った動作を逐次実行することも可能である。すなわち、記憶装置１６の他、伝送媒体を介して外部供給されたプログラム又はデータを利用して本実施の形態特有の動作を実行することも可能である。
【００４２】
まず、図８に示すフローチャートを参照して、調剤師の個人データを設定する個人データ設定処理を説明する。
図８において、ＣＰＵ１０は、入力装置１１から個人データ設定の指示が入力され、調剤師氏名を入力されると（ステップＳ１）、個人認証データメモリ１６１を参照して指定された調剤師名に対応する個人データが既に登録されているか否かを判別する（ステップＳ２）。
【００４３】
既に登録されている場合は個人データ設定処理を終了し、未登録の場合は個人データを設定する設定画面を表示装置１４に表示する（ステップＳ３）。この設定画面において、ＣＰＵ１０は、調剤師により選択された処理判断が個人データの設定か、設定の終了かを判別し（ステップＳ４）、設定を選択された場合はまず、調剤師の個人データである捺印イメージを手書き入力装置１１１から入力させて、手書き入力装置１１１により得たその捺印イメージデータをＲＡＭ１２に一時記憶させる（ステップＳ５）。
【００４４】
次いで、調剤師の個人データである手書きサインイメージを手書き入力装置１１１から入力させて、手書き入力装置１１１により得たそのサインイメージデータをＲＡＭ１２に一時記憶させる（ステップＳ６）。次いで、調剤師の個人データである音声を音声入力装置１１２から入力させて、音声入力装置１１２により得たその音声データをＲＡＭ１２に一時記憶させる（ステップＳ７）。
【００４５】
このようにして、各種個人データを入力させると、ステップＳ４に戻って次の処理を調剤師に選択させ、調剤師により選択された処理判断が認証データの設定か、設定終了かを判別する（ステップＳ４）。設定終了である場合はＲＡＭ１２に一時記憶した捺印イメージデータ、サインイメージデータ、音声データの各個人データを、ステップＳ１で入力された調剤師名と対応付けて個人認証データメモリ１６１に格納して登録し（ステップＳ８）、認証データ設定処理を終了する。一方、設定を選択された場合はステップＳ５に移行して、捺印イメージ、サインイメージ、音声データの各個人データの再設定を行う。
【００４６】
次に、図９に示すフローチャートを参照して、手書き入力装置１１１に入力された薬歴簿イメージデータをその調剤師の個人データと対応付けて記録する薬歴簿記録処理を説明する。
図９において、ＣＰＵ１０は、手書き入力装置１１１を介して、調剤師により服薬指導内容等の薬歴簿の手書き入力の設定を指示されたか否かを判別し（ステップＳ１１）、設定指示されていない場合は薬歴簿記録処理を終了する一方、設定指示された場合は手書き入力装置１１１において入力が完了し、手書き入力の薬歴簿イメージデータが有るか否かを判別する（ステップＳ１２）。
【００４７】
手書き入力の薬歴簿イメージデータが無い場合は入力エラーガイダンスを行って（ステップＳ１３）、薬歴簿記録処理を終了し、手書き入力の薬歴簿イメージデータが有る場合はその薬歴簿イメージデータは、例えば書き換え等のための入力ではなく、新規入力の薬歴簿イメージデータであるか否かを判別する（ステップＳ１４）。新規入力ではない場合はステップＳ７に移行し、新規入力である場合は現在の月日時分を計時してその時間情報をＲＡＭ１２に一時記憶する（ステップＳ１５）。次いで、手書き入力装置１１１から薬歴簿イメージデータを取り込み（ステップＳ１６）、取り込んだ薬歴簿イメージデータをＲＡＭ１２に一時記憶させて（ステップＳ１７）、ステップＳ１８の調剤師特定処理に移行する。
【００４８】
図１０に示すフローチャートを参照して調剤師特定処理を説明する。
図１０において、ＣＰＵ１０は、ＲＡＭ１２に一時記憶した薬歴簿イメージデータについて既に調剤師を特定済みであるか否かを判別する（ステップＳ１９）。具体的には、薬歴簿イメージデータに調剤師の個人データである捺印イメージやサインイメージが含まれていれば特定済みであるので、薬歴簿イメージデータ内において調剤師の個人データの有無を判別することにより特定済みか否かを判別する。既に調剤師を特定している場合は次の処理である、図１１に示すステップＳ２５に移行する。
【００４９】
一方、調剤師を未特定の場合は、個人特定データメモリ１６２に最初に登録されている調剤師の特定用イメージ１６２ｂを読み出してＲＡＭ１２に一時記憶した薬歴簿イメージデータと照合比較し、その一致比率を算出する（ステップＳ２０）。次いで、算出した一致比率は５０％以上であるか否かを判別する（ステップＳ２１）。
【００５０】
一致比率が５０％以上である場合、個人別一致比率データメモリ１２２の該当する調剤師の一致比率１２２ｂに設定されている値を、算出した一致比率の値に書き換えて更新し（ステップＳ２２）、ステップＳ２３に移行する。
【００５１】
一方、一致比率が５０％より小さい場合、個人特定データメモリ１６２に登録されている全ての調剤師について、一致比率を算出する算出処理を行ったか否かを判別する（ステップＳ２３）。全ての調剤師について算出処理を終了していない場合は、個人特定データメモリ１６２から次に登録されている調剤師の特定用イメージ１６２ｂを読み出して上述した方法と同様に一致比率を算出する（ステップＳ２４）。
【００５２】
このようにして、全調剤師について算出処理が終了すると、ＣＰＵ１０は、図１１のステップＳ２５に移行し、個人別一致比率データメモリ１６２を参照して一番高い一致比率を読み出す（ステップＳ２５）。次いで、読み出した一致比率が９０％以下であるか否かを判別し（ステップＳ２６）、一致比率が９０％以下である場合は調剤師を特定できなかったことを表示装置１４にメッセージ表示する等して調剤師を認証できなかった旨のエラーガイダンスを行う（ステップＳ２７）。そして、調剤師のサインを入力して下さい等のメッセージを表示する等してサインイメージの入力を要求するガイダンスを行って（ステップＳ２８）、手書き入力装置１１１におけるサインイメージ入力を待機する（ステップＳ２９）。
【００５３】
手書き入力装置１１１におけるサインイメージ入力が完了し、手書き入力装置１１１から取り込むと、このサインイメージと、個人特定イメージデータメモリ１６２のサインイメージ１６２ｃとを照合比較して調剤師を特定し（ステップＳ３０）、薬歴簿イメージデータを入力した調剤師を認証すると、ステップ３２に移行する。
【００５４】
一方、ステップＳ２６において、一致比率が９０％より大きい場合、その一番一致比率が高い調剤師名１２２ａを読み出し、薬歴簿イメージデータを入力した調剤師であると特定して認証する（ステップＳ３１）。次いで、ＲＡＭ１２に一時記憶した薬歴簿イメージデータ及び時間情報を入力時の元データのまま薬歴簿データメモリ１２１に記録すると、ＲＡＭ１２に一時記憶していた薬歴簿イメージデータ及び時間情報を消去（クリア）する（ステップＳ３２）。
【００５５】
次いで、個人認証データメモリ１６１から、特定された調剤師に対応する捺印イメージ１６１ｂ及びサインイメージ１６１ｃの個人データを読み出して、服薬指導内容の薬歴簿イメージデータと対応付けて薬歴簿データメモリ１２１のイメージデータ１２１ｂに記憶させると（ステップＳ３３）、次の調剤師特定処理のために個人別一致比率データメモリ１２２に記憶されている一致比率１２２ｂの値を消去する（ステップＳ３４）。
【００５６】
次いで、ＣＰＵ１０は薬歴簿データメモリ１２１に記憶したイメージデータ１２１ｂから服薬指導内容の薬歴簿イメージデータ（元データ）を文字認識して文字データに変換する（ステップＳ３５）。次いで、調剤師に、薬歴簿データファイルに対応する患者名及びサーバへアクセスするためのパスワードを入力装置１１から入力させて、薬歴簿データメモリ１２１に記録した今回の薬歴簿データファイルとともに伝送制御部１３により調剤薬局サーバ３０に伝送させて（ステップＳ３６）、薬歴簿記録処理を終了する。
【００５７】
次に、図１２を参照して、薬歴簿データに基づいて患者が所有するお薬手帳に服薬指導内容を印刷する薬歴簿印刷処理を説明する。なお、お薬手帳とは、調剤薬局サーバ３０、薬局データ記録装置１ａ、１ｂで管理されている薬歴簿データと同一内容を記録している患者側の薬歴簿である。
【００５８】
図１２において、まずＣＰＵ１０は、計時部１７により現在の時間情報を取得すると、薬歴簿データメモリ１２１を読み出し（ステップＳ１０１）、現在時刻に近い薬歴簿データのデータファイルを取得して、選択可能な表示形態で表示装置１４に表示させ（ステップＳ１０２）、印刷対象の薬歴簿データを選択するように促すメッセージを表示させる。具体的には、図１３に示すような選択画面１４１を表示し、現在時刻（画面下部に表示）に近い薬歴簿データを画面中に設けた枠内に表示し、カーソル１１ａを操作することにより表示する薬歴簿データを選択可能にしている。この選択画面１４１では、印刷開始を指示されると、枠内に表示されている薬歴簿データを印刷対象として決定する。
【００５９】
ＣＰＵ１０は、印刷対象の薬歴簿データが選択されると（ステップＳ１０３）、印刷開始の指示を待機し（ステップＳ１０４）、印刷開始が指示されると、印刷装置１５にお薬手帳がセットされているか否かを判別する（ステップＳ１０５）。お薬手帳がセットされていない場合は、お薬手帳を印刷装置１５にセットするようメッセージを表示装置１４に表示させる等してガイダンスを行う（ステップＳ１０６）。
【００６０】
一方、お薬手帳がセットされている場合は選択された薬歴簿データ（イメージデータ）から文字認識して文字データに変換し（ステップＳ１０６）、印刷装置１５によりお薬手帳に印刷させて（ステップＳ１０７）、薬歴簿印刷処理を終了する。
【００６１】
以上、薬歴簿データをイメージデータで記録し、印刷出力することを例として薬局データ記録装置１ａの薬歴簿記録処理及び薬歴簿印刷処理の動作を説明したが、イメージデータに限らず、服薬指導内容を調剤師の音声で音声入力装置１１１ｂにより入力して、薬歴簿データを音声データで記録することも可能である。その場合、薬歴簿記録処理においては、薬局データ記録装置１ａに調剤師特定用の音声データを予め登録しておき、調剤師特定処理では特定用の音声データと、入力された薬歴簿音声データとを照合して調剤師を特定して認証し、個人認証データメモリ１６１から特定された調剤師に対応する音声データを取得して薬歴簿音声データと対応付けて記録する。また、薬歴簿印刷処理では、服薬指導内容の音声データを音声認識して文字データに変換し、薬歴簿データをお薬手帳に印刷出力する又はスピーカ等の出力手段を備えて音声データを再生出力することとしてもよい。
【００６２】
次に、図１４を参照して、各患者の薬歴簿データのデータファイルを管理する薬局サーバ３０から患者端末５０ａが薬歴簿データを取得するデータ取得処理を説明する。
図１４において、まず患者端末５０ａは、ネットワークＮを介して調剤薬局サーバ３０にアクセスすると（ステップＳ２０１）、患者名、パスワードを入力する入力画面を表示手段に表示し、薬歴簿（又はお薬手帳）に登録している患者名及び薬歴簿データ取得のためのパスワードを入力させる（ステップＳ２０２）。
【００６３】
患者端末５０ａは、患者名及びパスワードを入力されると調剤薬局サーバ３０に送信し、調剤薬局サーバ３０は、送信されたパスワードにより患者を認証する。患者端末５０ａは、患者が認証された場合には患者名に対応する薬歴簿データのデータファイルを調剤薬局サーバ３０に要求する。そして、調剤薬局サーバ３０から薬歴簿データファイルの一覧情報を受信して表示手段に表示し、所望の薬歴簿データファイルを選択されると、選択された薬歴簿データファイルから薬歴簿データを音声データ又はイメージデータのどちらで取得するかを選択させ、例えば音声データで取得することを選択されると調剤薬局サーバ３０に音声データによる薬歴簿データを要求する（ステップＳ２０３）。
【００６４】
調剤薬局サーバ３０は、要求された音声データの薬歴簿データファイルを患者端末５０ａに送信し、患者端末５０ａは、音声データの薬歴簿データファイルを受信して（ステップＳ２０４）、スピーカ等の出力手段により音声データを再生出力し（ステップＳ２０５）、データ取得処理を終了する。
【００６５】
以上のように、予め個人特定イメージデータメモリ１６２ｂに調剤師を特定するための特定用データを登録しておき、調剤師のサイン、捺印、音声等の複数の個人データを入力して個人認証データメモリ１６１に設定し、服薬指導内容等の薬歴簿データを手書きのイメージデータ又は音声データで入力されると、入力された薬歴簿データを用いて調剤師を特定して認証し、認証された調剤師に対応する個人データを個人認証データメモリ１６１から読み出して入力されたイメージデータ又は音声データの薬歴簿データと対応付けて薬歴簿データメモリ１２１に記憶させるので、服薬指導と同時に薬歴簿の記録を行うことができ、薬歴簿記録作業に対する調剤師の負担を軽減することができる。従って、薬歴簿を効率的に記録することができる。
【００６６】
また、薬歴簿データを用いて認証された調剤師の個人データを薬歴簿データと対応付けて記録するので、薬歴簿データの改竄を防止することができるとともに服薬指導を行った調剤師を容易に判別することができる。
【００６７】
さらに、薬歴簿データは、調剤師の手書きのイメージデータ又は調剤師の音声データで入力するので、服薬指導内容等の薬歴簿データを正確かつ容易に記録することができ、薬歴簿記録に対する信頼性を向上させることができる。
【００６８】
また、記録した薬歴簿データを患者が有するお薬手帳に容易に印刷出力することができ、その際には、必要に応じてイメージデータから文字認識して文字データに変換する、或いは音声データから音声認識して文字データに変換して、文字データに変換した薬歴簿データを印刷出力するので、より見やすい文字で薬歴簿データを患者に提供することができる。
【００６９】
さらに、薬局データ記録装置１ａ、１ｂにより記録された薬歴簿データのデータファイルは調剤薬局サーバ３０に伝送されて管理され、患者端末５０ａ、５０ｂが調剤薬局サーバ３０にアクセスして、調剤薬局サーバ３０で管理されている薬歴簿データを取得し、音声で再生したり、イメージ表示したりするので、患者が所望の薬歴簿データを所望する時に確認することができ、利便性が向上する。
【００７０】
なお、本実施の形態における記述内容は、本発明の薬局データ処理装置を適用した薬局データ記録装置１ａの好適な一例であり、これに限定されるものではない。
例えば、本実施の形態では、調剤師の個人データとして、調剤師のサインイメージデータ、捺印イメージデータ、音声データを個人認証データメモリ１６１に設定登録することとしていたが、これに限らず、調剤師の指紋データやパスワード等の他の個人データであってもよい。
【００７１】
また、本実施の形態では、調剤師の認証データとして、調剤師から入力されたイメージデータ又は音声データ等の薬歴簿データ自体を認証データとして適用していたが、薬歴簿データを入力した調剤師を特定して認証できるのであればこれに限らず、調剤師のＩＤやパスワード、認証用のサインを認証データとして入力することとしてもよい。また、認証データを複数入力し、その複数の認証データのうち、１つ以上の認証データを組み合わせて用い、調剤師を認証することとしてもよい。
【００７２】
その他、本実施の形態における薬局データ記録装置１ａの細部構成及び細部動作に関しても、本発明の趣旨を逸脱することのない範囲で適宜変更可能である。
【００７３】
【発明の効果】
請求項１に記載の発明によれば、入力された認証データによりユーザを認証し、認証されたユーザの個人データを取得して、入力された薬歴簿データと取得された個人データとを対応付けて記録するので、薬歴簿を正確にかつ容易に記録することができ、薬歴簿を効率的に記録することができる。また、個人データが薬歴簿データに対応付けて記録されるので、ユーザを容易に判別することができるとともに薬歴簿データの改竄を防止することができる。
【図面の簡単な説明】
【図１】本発明を適用した実施の形態の薬局システム１００の全体構成を示す概念図である。
【図２】図１の薬局サーバ１ａの機能的構成を示すブロック図である。
【図３】図２のＲＡＭ１２に格納される薬歴簿データメモリ１２１のデータ格納例を示す図である。
【図４】図２のＲＡＭ１２に格納される個人別一致比率データメモリ１２２のデータ格納例を示す図である。
【図５】調剤師による服薬指導内容のデータを入力する入力装置を示す図であり、（ａ）は服薬指導内容を手書きのイメージデータとして入力する手書き入力装置１１１を示す図であり、（ｂ）は服薬指導内容を調剤師の音声により入力する音声入力装置１１２を示す図である。
【図６】図２の記憶装置１６に格納される個人認証データメモリ１６１のデータ格納例を示す図である。
【図７】図２の記憶装置１６に格納される個人特定イメージデータメモリ１６２のデータ格納例を示す図である。
【図８】図２のＣＰＵ１０によって実行される認証データ設定処理を説明するフローチャートである。
【図９】図２のＣＰＵ１０によって実行される薬歴簿記録処理を説明するフローチャートである。
【図１０】薬歴簿記録処理において実行される調剤師名特定処理を説明するためのフローチャートである。
【図１１】薬歴簿記録処理を説明するためのフローチャートである。
【図１２】図２のＣＰＵ１０によって実行される薬歴簿印刷処理を説明するフローチャートである。
【図１３】薬歴簿印刷処理において表示装置１４に表示される選択画面１４１を示す図である。
【図１４】図１の患者端末５０ａによって実行されるデータ取得処理を説明するフローチャートである。
【符号の説明】
１ａ、１ｂ　　薬局データ記録装置
１０　　ＣＰＵ
１１　　入力装置
１１１　　手書き入力装置
１１２　　音声入力装置
１２　　ＲＡＭ
１３　　伝送制御部
１４　　表示装置
１５　　印刷装置
１６　　記憶装置
１７　　計時部
３０　　調剤薬局サーバ
５０ａ、５０ｂ　　患者端末
【図１】
2004102773.tif 000003
【図２】
2004102773.tif 000004
【図３】
2004102773.tif 000005
【図４】
2004102773.tif 000006
【図５】
2004102773.tif 000007
【図６】
2004102773.tif 000008
【図７】
2004102773.tif 000009
【図８】
2004102773.tif 000010
【図９】
2004102773.tif 000011
【図１０】
2004102773.tif 000012
【図１１】
2004102773.tif 000013
【図１２】
2004102773.tif 000014
【図１３】
2004102773.tif 000015
【図１４】
2004102773.tif 000016